(57)【要約】  一実施形態では、Ｅ−ＵＴＲＡＮが、測定トリガを含むMDT Configurationメッセージを無線端末ＵＥに送信するステップＳ１１と、無線端末ＵＥが、Ｅ−ＵＴＲＡＮから受信したMDT Configurationメッセージに含まれる測定トリガを自端末に設定した後、アイドル状態において測定トリガに対応するイベントが発生すると、無線環境の測定を行うとともに、測定の結果と位置情報とを含む測定データを記録するステップＳ１４と、無線端末ＵＥが、アイドル状態からコネクテッド状態に遷移する際に、測定トリガを示すトリガ種別情報をＥ−ＵＴＲＡＮに送信するステップＳ１６と、Ｅ−ＵＴＲＡＮが、無線端末ＵＥからのトリガ種別情報に基づいて、無線端末ＵＥに対して測定データの送信を要求するか否かを決定するステップＳ１７と、を備える。
2012049957.tif 000002
【特許請求の範囲】
【請求項１】
無線基地局を含んで構成されるネットワークが、測定トリガを含む設定メッセージを無線端末に送信するステップと、
前記無線端末が、前記ネットワークから受信した前記設定メッセージに含まれる前記測定トリガを自端末に設定した後、アイドル状態において、前記測定トリガに応じて無線環境の測定を行うとともに、前記測定の結果と位置情報とを含む測定データを記録するステップと、
前記無線端末が、前記測定トリガの種別を示すトリガ種別情報を前記ネットワークに送信するステップと、
を備える無線測定収集方法。
【請求項２】
前記トリガ種別情報を送信するステップでは、前記アイドル状態からコネクテッド状態に遷移する際に、前記トリガ種別情報を前記ネットワークに送信する請求項１に記載の無線測定収集方法。
【請求項３】
前記トリガ種別情報を送信するステップでは、前記測定データを保持していることを示す保持情報と共に前記トリガ種別情報を送信する請求項１に記載の無線測定収集方法。
【請求項４】
前記トリガ種別情報を送信するステップでは、前記測定データの送信を要求する要求メッセージを前記ネットワークから受信したことに応じて、前記トリガ種別情報を前記ネットワークに送信する請求項１に記載の無線測定収集方法。
【請求項５】
前記ネットワークが、前記無線端末からの前記トリガ種別情報に基づいて、前記無線端末に対して前記測定データの送信を要求するか否かを決定するステップをさらに備える請求項１に記載の無線測定収集方法。
【請求項６】
前記決定するステップで前記測定データの送信を要求すると決定された場合に、前記測定データの送信を要求する要求メッセージを前記ネットワークから前記無線端末に送信するステップをさらに備える請求項５に記載の無線測定収集方法。
【請求項７】
無線基地局を含んで構成されるネットワークから、測定トリガを含む設定メッセージを受信する端末側受信部と、
前記受信部が受信した前記設定メッセージに含まれる前記測定トリガを自端末に設定した後、アイドル状態において、前記測定トリガに応じて無線環境の測定を行うとともに、前記測定の結果と位置情報とを含む測定データを記録する測定記録部と、
前記測定トリガの種別を示すトリガ種別情報を前記ネットワークに送信する端末側送信部と、
を備える無線端末。
【請求項８】
前記端末側送信部は、前記アイドル状態からコネクテッド状態に遷移する際に、前記測定データを保持していることを示す保持情報と共に前記トリガ種別情報を送信する請求項７に記載の無線端末。
【請求項９】
前記端末側送信部は、前記測定データを保持していることを示す保持情報と共に前記トリガ種別情報を送信する請求項７に記載の無線端末。
【請求項１０】
前記端末側送信部は、前記測定データの送信を要求する要求メッセージを前記端末側受信部が受信したことに応じて、前記トリガ種別情報を前記ネットワークに送信する請求項７に記載の無線端末。
【請求項１１】
無線端末に設定され、前記無線端末がアイドル状態において無線環境の測定を行うトリガである測定トリガを示すトリガ種別情報を前記無線端末から受信する基地局側受信部を備える無線基地局。
【請求項１２】
前記基地局側受信部が受信した前記トリガ種別情報に基づいて、無線環境の測定結果と位置情報とを含む測定データの送信を前記無線端末に対して要求するか否かを決定する決定部をさらに備える請求項１１に記載の無線基地局。
【請求項１３】
前記測定データの送信を要求すると決定された場合に、前記測定データの送信を要求する要求メッセージを前記無線端末に送信する基地局側送信部をさらに備える請求項１１に記載の無線基地局。
【発明の詳細な説明】
【技術分野】
【０００１】
本発明は、無線環境を測定して測定結果及び位置情報を収集する無線測定収集方法、無線端末、及び無線基地局に関する。
【背景技術】
【０００２】
移動通信システムでは、無線基地局の周辺にビルが建設されたり、当該無線基地局の周辺基地局の設置状況が変化したりすると、当該無線基地局に係る無線環境が変化する。このため、従来では、オペレータにより、測定機材を搭載した測定用車両を使用し、無線環境を測定して測定結果及び位置情報を収集するドライブテストが行われている。【０００３】
このような測定及び収集は、例えば無線基地局のカバレッジの最適化に貢献できるが、工数が多く、且つ費用が高いという課題がある。そこで、移動通信システムの標準化プロジェクトである３ＧＰＰ（3rd Generation Partnership Project）では、ユーザが所持する無線端末を使用して、当該測定及び収集を自動化する技術であるＭＤＴ（Minimization of Drive Test）の仕様策定が進められている（非特許文献１及び２参照）。【０００４】
ＭＤＴの一種として、記録型のＭＤＴ（以下、適宜Logged MDTと称する）がある。Logged MDTは、アイドル状態の無線端末が、ネットワークから設定された測定パラメータ（測定条件）に従って無線環境の測定を行い、測定結果を位置情報及び時間情報と共に測定データとして記録し、記録した測定データを後でネットワークに報告するものである。
【先行技術文献】
【非特許文献】
【０００５】
【非特許文献１】3GPP TR 36.805 V9.0.0 “Study on Minimization of drive-tests in Next Generation Networks”, 2009-12
【非特許文献２】3GPP TS 37.320 v0.7.0, “Radio measurement collection for Minimization of Drive Tests (MDT)”, 2010-07
【発明の概要】
【０００６】
記録型ＭＤＴでは、複数の無線端末が様々な条件で測定を行うことから、ネットワークにとって重要な測定データと、そうでない測定データとが混在すると考えられる。しかしながら、上記無線測定収集方法では、測定データは全て同様の取り扱いがなされているため、ネットワーク（すなわちオペレータ）が重要な測定データを十分に収集することができない虞がある。
【０００７】
そこで、本発明は、記録型ＭＤＴにおいてネットワークが重要な測定データを収集し易くすることができる無線測定収集方法、無線端末、及び無線基地局を提供することを目的とする。
【０００８】
上述した課題を解決するために、本発明は以下のような特徴を有している。まず、本発明に係る無線測定収集方法の特徴は、無線基地局（無線基地局ｅＮＢ）を含んで構成されるネットワーク（Ｅ−ＵＴＲＡＮ）が、測定トリガを含む設定メッセージ（MDT Configurationメッセージ）を無線端末（無線端末ＵＥ）に送信するステップ（ステップＳ１１）と、前記無線端末が、前記ネットワークから受信した前記設定メッセージに含まれる前記測定トリガを自端末に設定した後、アイドル状態において、前記測定トリガに応じて無線環境の測定を行うとともに、前記測定の結果と位置情報とを含む測定データを記録するステップ（ステップＳ１４）と、前記無線端末が、前記測定トリガの種別を示すトリガ種別情報を前記ネットワークに送信するステップ（ステップＳ１６）と、を備えることを要旨とする。
【０００９】
本発明に係る無線測定収集方法の他の特徴は、上記特徴に係る無線測定収集方法において、前記トリガ種別情報を送信するステップでは、前記アイドル状態からコネクテッド状態に遷移する際に、前記トリガ種別情報を前記ネットワークに送信することを要旨とする。
【００１０】
本発明に係る無線測定収集方法の他の特徴は、上記特徴に係る無線測定収集方法において、前記トリガ種別情報を送信するステップでは、前記測定データを保持していることを示す保持情報（Availability Indicator）と共に前記トリガ種別情報を送信することを要旨とする。
【００１１】
本発明に係る無線測定収集方法の他の特徴は、上記特徴に係る無線測定収集方法において、前記トリガ種別情報を送信するステップでは、前記測定データの送信を要求する要求メッセージ（UE Information Requestメッセージ）を前記ネットワークから受信したことに応じて、前記トリガ種別情報を前記ネットワークに送信することを要旨とする。
【００１２】
本発明に係る無線測定収集方法の他の特徴は、上記特徴に係る無線測定収集方法において、前記ネットワークが、前記無線端末からの前記トリガ種別情報に基づいて、前記無線端末に対して前記測定データの送信を要求するか否かを決定するステップをさらに備えることを要旨とする。
【００１３】
本発明に係る無線測定収集方法の他の特徴は、上記特徴に係る無線測定収集方法において、前記決定するステップで前記測定データの送信を要求すると決定された場合に、前記測定データの送信を要求する要求メッセージ（UE Information Requestメッセージ）を前記ネットワークから前記無線端末に送信するステップをさらに備えることを要旨とする。
【００１４】
本発明に係る無線端末の特徴は、無線基地局（無線基地局ｅＮＢ）を含んで構成されるネットワーク（Ｅ−ＵＴＲＡＮ）から、測定トリガを含む設定メッセージ（MDT Configurationメッセージ）を受信する端末側受信部（無線通信部２１０）と、前記受信部が受信した前記設定メッセージに含まれる前記測定トリガを自端末に設定した後、アイドル状態において、前記測定トリガに応じて無線環境の測定を行うとともに、前記測定の結果と位置情報とを含む測定データを記録する測定記録部（測定記録部２６１）と、前記測定トリガの種別を示すトリガ種別情報を前記ネットワークに送信する端末側送信部（報告処理部２６２及び無線通信部２１０）と、を備えることを要旨とする。
【００１５】
本発明に係る無線端末の他の特徴は、上記特徴に係る無線端末において、前記端末側送信部は、前記アイドル状態からコネクテッド状態に遷移する際に、前記測定データを保持していることを示す保持情報と共に前記トリガ種別情報を送信することを要旨とする。
【００１６】
本発明に係る無線端末の他の特徴は、上記特徴に係る無線端末において、前記端末側送信部は、前記測定データを保持していることを示す保持情報（Availability Indicator）と共に前記トリガ種別情報を送信することを要旨とする。
【００１７】
本発明に係る無線端末の他の特徴は、上記特徴に係る無線端末において、前記端末側送信部は、前記測定データの送信を要求する要求メッセージを前記端末側受信部が受信したことに応じて、前記トリガ種別情報を前記ネットワークに送信することを要旨とする。
【００１８】
本発明に係る無線基地局の特徴は、無線端末（無線端末ＵＥ）に設定され、前記無線端末がアイドル状態において無線環境の測定を行うトリガである測定トリガを示すトリガ種別情報を前記無線端末から受信する基地局側受信部（無線通信部１１０）を備えることを要旨とする。
【００１９】
本発明に係る無線基地局の他の特徴は、上記特徴に係る無線基地局において、前記基地局側受信部が受信した前記トリガ種別情報に基づいて、無線環境の測定結果と位置情報とを含む測定データの送信を前記無線端末に対して要求するか否かを決定する決定部（収集制御部１４２）をさらに備えることを要旨とする。
【００２０】
本発明に係る無線基地局の他の特徴は、上記特徴に係る無線基地局において、前記測定データの送信を要求すると決定された場合に、前記測定データの送信を要求する要求メッセージを前記無線端末に送信する基地局側送信部（収集制御部１４２及び無線通信部１１０）をさらに備えることを要旨とする。
【図面の簡単な説明】
【００２１】
【図１】本発明の実施形態に係る移動通信システムの全体概略構成を示す図である。
【図２】本発明の実施形態に係る無線基地局の構成を示すブロック図である。
【図３】本発明の実施形態に係る無線端末の構成を示すブロック図である。
【図４】本発明の実施形態に係る無線測定収集方法を示すシーケンス図である。
【発明を実施するための形態】
【００２２】
図面を参照して、本発明の実施形態について、（１）移動通信システムの概要、（２）無線基地局の構成、（３）無線端末の構成、（４）無線測定収集方法、（５）実施形態の効果、（６）その他の実施形態の順に説明する。以下の実施形態における図面において、同一又は類似の部分には同一又は類似の符号を付す。
【００２３】
本実施形態に係る無線測定収集方法は、無線基地局を含んで構成されるネットワークが、測定トリガを含む設定メッセージを無線端末に送信するステップと、無線端末が、ネットワークから受信した設定メッセージに含まれる測定トリガを自端末に設定した後、アイドル状態において測定トリガに対応するイベントが発生すると、無線環境の測定を行うとともに、測定の結果と位置情報とを含む測定データを記録するステップと、無線端末が、アイドル状態からコネクテッド状態に遷移する際に、測定トリガを示すトリガ種別情報をネットワークに送信するステップと、ネットワークが、無線端末からのトリガ種別情報に基づいて、無線端末に対して測定データの送信を要求するか否かを決定するステップと、を備える。
【００２４】
以下においては、３ＧＰＰで仕様が策定されているＬＴＥ（Long Term Evolution）−Ａｄｖａｎｃｅｄに基づいて構成される移動通信システムを例示する。また、上記ネットワークとしてＥ−ＵＴＲＡＮを例示し、設定メッセージとしてMDT Configurationメッセージを例示する。
【００２５】
（１）移動通信システムの概要
図１は、本実施形態に係る移動通信システム１の全体概略構成を示す図である。
【００２６】
図１に示すように、移動通信システム１は、無線端末ＵＥ（User Equipment）、無線基地局ｅＮＢ（evolved Node-B）、保守監視装置ＯＡＭ（Operation and Maintenance）、及び移動管理装置ＭＭＥ（Mobility Management Entity）／ゲートウェイ装置Ｓ−ＧＷ（Serving Gateway）を有する。
【００２７】
複数の無線基地局ｅＮＢ（ｅＮＢ＃１〜ｅＮＢ＃３）は、Ｅ−ＵＴＲＡＮ（Evolved-UMTS Terrestrial Radio Access Network）を構成する。無線基地局ｅＮＢのそれぞれは、無線端末ＵＥにサービスを提供すべき通信エリアであるセルを管理する。無線端末ＵＥは、ユーザが所持する無線通信装置である。
【００２８】
隣接する各無線基地局ｅＮＢは、基地局間通信を提供する論理的な通信路であるＸ２インターフェースを介して互いに通信可能である。無線基地局ｅＮＢのそれぞれは、Ｓ１インターフェースを介して、ＥＰＣ（Evolved Packet Core）、具体的には、ＭＭＥ／Ｓ−ＧＷと通信可能である。また、無線基地局ｅＮＢは、オペレータによって運営される保守監視装置ＯＡＭと通信可能である。
【００２９】
移動通信システム１は、記録型ＭＤＴ（Logged MDTと称される）をサポートする。記録型ＭＤＴとは、アイドル状態の無線端末ＵＥが、設定された条件を満たすときに測定を行い、測定結果を含む測定データを後でネットワークに報告するために保持するものである。記録型ＭＤＴでは、以下の方法で無線環境の測定及び収集を行う。
【００３０】
第１に、Ｅ−ＵＴＲＡＮが、測定パラメータを設定するための設定メッセージであるMDT Configurationメッセージを、コネクテッド状態の無線端末ＵＥに送信する。測定パラメータは、測定対象（measurements to be logged）、測定トリガ（triggering of logging event）、測定期間（total duration of logging）、絶対時間（network absolute time stamp）、及び測定エリア（measurements area）を含む。ただし、測定エリア（measurements area）は、測定パラメータに含まれなくてもよい。なお、測定パラメータは、MDT Configurationと称されることがある。
【００３１】
測定対象は、例えば測定を行うべき周波数帯であり、無線端末ＵＥは、測定対象の周波数帯について参照信号受信電力（ＲＳＲＰ）及び参照信号受信品質（ＲＳＲＱ）を測定する。
【００３２】
測定トリガは、例えば周期的な下りリンクパイロット信号強度測定トリガであり、この領域で測定間隔を設定可能である。無線端末ＵＥは、設定された測定間隔に従って測定を行う。
【００３３】
ただし、このような周期的な測定トリガに限らず、次に挙げるようなイベントトリガ型の測定トリガを設定可能である。ここでは、イベントトリガ型の各測定トリガの概要を説明するが、詳細については上記非特許文献１を参照されたい。
【００３４】
・サービングセルの無線環境が閾値を下回ったこと。当該トリガ種別は、カバレッジ最適化、具体的には、下りリンクの問題が生じている位置を特定するのに適している。
【００３５】
・ランダムアクセス処理に失敗したこと。当該トリガ種別は、ランダムアクセス失敗の原因を特定するのに適している。
【００３６】
・ページングチャネルのデコードに失敗したこと。当該トリガ種別は、アイドル状態の無線端末に信頼性のあるページング情報が届いているかを把握するのに適している。
【００３７】
・ブロードキャストチャネルのデコードに失敗したこと。当該トリガ種別は、アイドル状態の無線端末がキャンプ（待ち受け）できなかった際の無線環境や位置等を特定するのに適している。
【００３８】
なお、測定期間は、記録型ＭＤＴの持続期間を設定するものであり、絶対時間は、無線端末ＵＥで生成する時間情報（タイムスタンプ）の基準を設定するものである。
【００３９】
測定エリアは、無線端末ＵＥが測定を行うべきエリアを設定するものである。
【００４０】
第２に、無線端末ＵＥが、アイドル状態、且つ測定期間において、設定した測定トリガに対応する条件が満たされた際に無線環境の測定を行うとともに、測定結果を含む測定データを記録する。無線端末ＵＥは、MDT Configurationメッセージによる測定パラメータの設定時に測定期間のタイマを起動し、当該タイマが満了すると測定データの記録を終了する。なお、無線環境とは、例えばＲＳＲＰやＲＳＲＱである。また、測定データは、測定結果に加え、位置情報及びタイムスタンプ（時間情報）を含む。位置情報は、サービングセルのＥＣＧＩ（E-UTRAN Cell Global Identifier）を含む。また、無線端末ＵＥが測位機能を有している場合、位置情報は、ＧＮＳＳ（Global Navigation Satellite System）位置情報をさらに含む。一方、無線端末ＵＥが測位機能を有していない場合、位置情報は、隣接セルからの受信状態に関するＲＦ（Radio frequency）フィンガープリントをさらに含む。
【００４１】
第３に、無線端末ＵＥが、アイドル状態（RRC Idle state）からコネクテッド状態（RRC Connected state）に遷移する際に、測定データを保持していることを示す保持情報（Availability Indicatorと称される）をＥ−ＵＴＲＡＮに送信する。具体的には、無線端末ＵＥは、コネクテッド状態の確立を完了するためのRRCConnectionSetupCompleteメッセージに保持情報を含めてＥ−ＵＴＲＡＮに送信する。
【００４２】
本実施形態では、無線端末ＵＥは、保持情報に加えて、設定した測定トリガを示すトリガ種別情報をRRCConnectionSetupCompleteメッセージに含めてＥ−ＵＴＲＡＮに送信する。ここで、トリガ種別情報の例を以下に列挙する。
【００４３】
・周期的なトリガを示す情報
・エリア基準（Area based）のトリガを示す情報
・サービングセルの無線環境が閾値を下回ったというトリガを示す情報
・ランダムアクセス処理に失敗したというトリガを示す情報
・ページングチャネルのデコードに失敗したというトリガを示す情報
・ブロードキャストチャネルのデコードに失敗したというトリガを示す情報
【００４４】
第４に、Ｅ−ＵＴＲＡＮが、受信した保持情報及びトリガ種別情報に基づいて、測定データの送信を無線端末ＵＥに対して要求するか否かを決定する。測定データの送信を要求すると決定した場合、Ｅ−ＵＴＲＡＮは、測定データの送信を要求するためのメッセージであるUEInformationRequestメッセージを無線端末ＵＥに送信する。無線端末ＵＥは、UEInformationRequestメッセージを受信すると、保持している測定データを含むUEInformationResponseメッセージをＥ−ＵＴＲＡＮに送信する。
【００４５】
（２）無線基地局の構成
図２は、無線基地局ｅＮＢの構成を示すブロック図である。
【００４６】
図２に示すように、無線基地局ｅＮＢは、アンテナ１０１、無線通信部１１０、ネットワーク通信部１２０、記憶部１３０、及び制御部１４０を有する。
【００４７】
アンテナ１０１は、無線信号の送受信に用いられる。無線通信部１１０は、例えば無線周波数（ＲＦ）回路やベースバンド（ＢＢ）回路等を用いて構成され、アンテナ１０１を介して無線信号を送受信する。また、無線通信部１１０は、送信信号の変調と受信信号の復調とを行う。ネットワーク通信部１２０は、他のネットワーク装置（保守監視装置ＯＡＭや他の無線基地局ｅＮＢ等）との通信を行う。記憶部１３０は、例えばメモリを用いて構成され、無線基地局ｅＮＢの制御等に用いられる各種の情報を記憶する。制御部１４０は、例えばＣＰＵを用いて構成され、無線基地局ｅＮＢが備える各種の機能を制御する。
【００４８】
制御部１４０は、測定制御部１４１及び収集制御部１４２を有する。
【００４９】
測定制御部１４１は、無線端末ＵＥに測定パラメータ（測定対象、測定トリガ、測定期間、絶対時間、及び測定エリア）を設定するための制御を行う。具体的には、測定制御部１４１は、（ネットワークによって選択された）無線端末ＵＥに測定パラメータを設定すると決定すると、測定パラメータを含むMDT Configurationメッセージを生成する。そして、測定制御部１４１は、当該MDT Configurationメッセージを無線端末ＵＥに送信するよう無線通信部１１０を制御する。
【００５０】
収集制御部１４２は、無線端末ＵＥから測定データを収集するための制御を行う。具体的には、収集制御部１４２は、保持情報（Availability Indicator）及びトリガ種別情報を含むRRCConnectionSetupCompleteメッセージを無線端末ＵＥから無線通信部１１０が受信すると、これらの情報に基づいて、測定データの送信を無線端末ＵＥに対して要求するか否かを決定する。
【００５１】
このように、本実施形態において無線通信部１１０は、無線端末ＵＥに設定された測定トリガの種別を示すトリガ種別情報を無線端末ＵＥから受信する基地局側受信部に相当する。また、本実施形態において収集制御部１４２は、無線環境の測定結果と位置情報とを含む測定データの送信を無線端末ＵＥに対して要求するか否かを決定する決定部に相当する。
【００５２】
収集制御部１４２は、予め定められた決定基準に従って、測定データの送信を無線端末ＵＥに対して要求するか否かを決定する。例えば、収集制御部１４２は、周期的なトリガよりも、イベントトリガ型の測定トリガを優先的に収集するように、測定データの送信を無線端末ＵＥに対して要求するか否かを決定する。イベントトリガ型の測定トリガは、特定の目的のために使用されるものであり、比較的重要度が高いからである。また、イベントトリガ型の測定トリガの中でも、次のような優先度付けをしてもよい。具体的には、システム全体に関わるエラーであってアイドル状態及びコネクテッド状態の両状態に関わるエラー、例えば、ブロードキャストチャネルのデコードに失敗したというトリガの収集優先度を高くする。その次に、システム全体に関わるエラーであってアイドル状態に関わるエラー、例えば、ページングチャネル（ＰＤＣＣＨ）のデコードに失敗したというトリガの収集優先度を高くする。端末特有のエラー、例えば、サービングセルの無線環境が閾値を下回ったというトリガについては収集優先度を低くする。
【００５３】
あるいは、収集制御部１４２は、保守監視装置ＯＡＭから設定された決定基準に従って、測定データの送信を無線端末ＵＥに対して要求するか否かを決定してもよい。具体的には、収集制御部１４２は、特定の測定トリガについての測定データを収集するよう保守監視装置ＯＡＭから指示されている場合であって、当該特定の測定トリガに対応するトリガ種別情報が無線端末ＵＥから通知された場合には、測定データの送信を無線端末ＵＥに対して要求すると決定する。また、収集制御部１４２は、特定の測定トリガについての測定データを収集するよう保守監視装置ＯＡＭから指示されている場合であって、当該特定の測定トリガ以外の測定トリガに対応するトリガ種別情報が無線端末ＵＥから通知された場合には、測定データの送信を無線端末ＵＥに対して要求しないと決定する。
【００５４】
収集制御部１４２は、測定データの送信を要求すると決定した場合に、UEInformationRequestメッセージを生成し、生成したUEInformationRequestメッセージを無線端末ＵＥに送信するよう無線通信部１１０を制御する。このように、本実施形態において収集制御部１４２及び無線通信部１１０は、測定データの送信を要求する要求メッセージ（UEInformationRequest）を無線端末ＵＥに送信する基地局側送信部を構成する。
【００５５】
収集制御部１４２は、UEInformationRequestメッセージに応じて無線端末ＵＥから送信（報告）されたUEInformationResponseメッセージを無線通信部１１０が受信すると、受信したUEInformationResponseメッセージに含まれる測定データを取得する。そして、収集制御部１４２は、取得した測定データを保守監視装置ＯＡＭに送信するようネットワーク通信部１２０を制御する。なお、収集制御部１４２は、測定データを保守監視装置ＯＡＭに送信するケースに限らず、当該測定データの内容を解釈し、自無線基地局ｅＮＢのパラメータ最適化に使用してもよい。
【００５６】
（３）無線端末の構成
図３は、無線端末ＵＥの構成を示すブロック図である。
【００５７】
図３に示すように、無線端末ＵＥは、アンテナ２０１、無線通信部２１０、ユーザインターフェイス部２２０、ＧＰＳ受信機２３０、バッテリ２４０、記憶部２５０、及び制御部２６０を有する。ただし、無線端末ＵＥは、ＧＰＳ受信機２３０を有していなくてもよい。
【００５８】
アンテナ２０１は、無線信号の送受信に用いられる。無線通信部２１０は、例えば無線周波数（ＲＦ）回路やベースバンド（ＢＢ）回路等を用いて構成され、アンテナ２０１を介して無線信号を送受信する。また、無線通信部２１０は、送信信号の変調と受信信号の復調とを行う。ユーザインターフェイス部２２０は、ユーザとのインターフェイスとして機能するディスプレイやボタン等である。バッテリ２４０は、無線端末ＵＥの各ブロックに供給される電力を蓄える。記憶部２５０は、例えばメモリを用いて構成され、無線端末ＵＥの制御等に用いられる各種の情報を記憶する。制御部２６０は、例えばＣＰＵを用いて構成され、無線端末ＵＥが備える各種の機能を制御する。
【００５９】
制御部２６０は、測定記録部２６１及び報告処理部２６２を有する。
【００６０】
測定記録部２６１は、コネクテッド状態において、MDT Configurationメッセージを無線基地局ｅＮＢから無線通信部２１０が受信すると、受信したMDT Configurationメッセージに含まれる測定パラメータを設定（すなわち、記憶部２５０に記憶）する。また、測定記録部２６１は、測定パラメータの設定時に測定期間のタイマ（duration timer）を起動する。
【００６１】
本実施形態において無線通信部２１０は、無線基地局ｅＮＢを含んで構成されるＥ−ＵＴＲＡＮから、測定トリガを含む設定メッセージ（MDT Configurationメッセージ）を受信する端末側受信部に相当する。
【００６２】
測定記録部２６１は、アイドル状態において、記憶部２５０に記憶された各測定パラメータについて無線環境の測定及び位置情報・時間情報（タイムスタンプ）の取得を行うとともに、測定結果、位置情報、及びタイムスタンプを含む測定データを記録（すなわち、記憶部２５０に格納）する。測定記録部２６１は、測定対象で指定された周波数帯について、測定トリガ（triggering of logging event）のそれぞれに対応するイベントが生じた際に測定を行う。
【００６３】
このように、測定記録部２６１は、無線通信部２１０が受信したMDT Configurationメッセージに含まれる測定トリガを自端末に設定した後、アイドル状態において、測定トリガに応じて無線環境の測定を行うとともに、測定の結果と位置情報とを含む測定データを記録する。
【００６４】
また、測定記録部２６１は、測定エリア（measurements area）が指定されている場合に、指定されたセルＩＤ又はトラッキングエリアにキャンプ（待ち受け）する場合にのみ測定を行う。また、測定記録部２６１は、測定期間のタイマ（duration timer）が満了すると測定データの記録を終了する。
【００６５】
なお、測定記録部２６１は、測定期間のタイマ（duration timer）が満了すると、測定トリガ以外の測定パラメータを消去する。詳細については後述するが、本実施形態では、無線端末ＵＥは、アイドル状態からコネクテッド状態へ遷移する際に、測定トリガの種別を示すトリガ種別情報をネットワーク（Ｅ−ＵＴＲＡＮ）に送信するため、測定トリガに係る情報は消去せずに保持しておく必要がある。
【００６６】
測定記録部２６１は、測定パラメータ及び測定データを保持している際にネットワークから新たな設定メッセージを受信して新たな測定パラメータを設定する場合、新たな測定パラメータに置き換えるとともに、保持している測定データを消去する。
【００６７】
報告処理部２６２は、記憶部２５０に測定データが保持されている場合であって、アイドル状態からコネクテッド状態へ遷移した際に、測定データを保持していることを示す保持情報と、ステップＳ１２で設定した測定トリガの種別を示すトリガ種別情報とを、アイドル状態からコネクテッド状態への遷移を完了するためのRRCConnectionSetupCompleteメッセージに含めて送信するよう無線通信部２１０を制御する。
【００６８】
本実施形態において報告処理部２６２及び無線通信部２１０は、アイドル状態からコネクテッド状態に遷移する際に、測定トリガの種別を示すトリガ種別情報をネットワーク（Ｅ−ＵＴＲＡＮ）に送信する端末側送信部を構成する。
【００６９】
さらに、報告処理部２６２は、コネクテッド状態において、UEInformationRequestメッセージを無線通信部２１０が受信すると、記憶部２５０から測定データを取得し、取得した測定データを含むUEInformationResponseメッセージを生成する。そして、報告処理部２６２は、生成したUEInformationResponseメッセージをＥ−ＵＴＲＡＮ（無線基地局ｅＮＢ）に送信するよう無線通信部２１０を制御する。このようにして測定データがネットワークに報告されると、報告処理部２６２は、記憶部２５０に記憶された測定データを消去する。
【００７０】
（４）無線測定収集方法
図４は、本実施形態に係る無線測定収集方法を示すシーケンス図である。
【００７１】
図４に示すように、ステップＳ１１において、Ｅ−ＵＴＲＡＮに含まれる無線基地局ｅＮＢは、測定パラメータを含むMDT Configurationメッセージを、コネクテッド状態の無線端末ＵＥに送信する。測定パラメータには、測定トリガが含まれる。無線端末ＵＥは、MDT Configurationメッセージを受信する。
【００７２】
ステップＳ１２において、無線端末ＵＥは、受信したMDT Configurationメッセージに含まれる測定パラメータを自端末に設定する。
【００７３】
ステップＳ１３において、無線端末ＵＥは、コネクテッド状態からアイドル状態に遷移する。
【００７４】
ステップＳ１４において、無線端末ＵＥは、測定パラメータ（測定トリガを含む）に応じて無線環境の測定を行い、測定結果と位置情報とタイムスタンプとを含む測定データを記録する。
【００７５】
ステップＳ１５において、無線端末ＵＥは、Ｅ−ＵＴＲＡＮに含まれる無線基地局ｅＮＢとの接続処理を行う。なお、ここで接続先となる無線基地局ｅＮＢは、MDT Configurationメッセージの送信元基地局とは異なるものである可能性が高い。
【００７６】
ステップＳ１６において、無線端末ＵＥは、保持情報（Availability Indicator）及びトリガ種別情報を含むRRCConnectionSetupCompleteメッセージを無線基地局ｅＮＢに送信する。無線基地局ｅＮＢは、RRCConnectionSetupCompleteメッセージを受信する。RRCConnectionSetupCompleteメッセージが正常に受信されると、無線端末ＵＥは、アイドル状態からコネクテッド状態に遷移する。
【００７７】
ステップＳ１７において、無線基地局ｅＮＢは、無線端末ＵＥから受信したRRCConnectionSetupCompleteメッセージに含まれる保持情報及びトリガ種別情報に基づいて、測定データの送信を無線端末ＵＥに要求するか否かを決定する。測定データの送信を無線端末ＵＥに要求すると決定した場合、処理がステップＳ１８に進む。
【００７８】
ステップＳ１８において、無線基地局ｅＮＢは、UEInformationRequestメッセージを無線端末ＵＥに送信する。無線端末ＵＥは、UEInformationRequestメッセージを受信する。
【００７９】
ステップＳ１９において、無線端末ＵＥは、測定データを含むUEInformationResponseメッセージを無線基地局ｅＮＢに送信する。無線基地局ｅＮＢは、UEInformationResponseメッセージを受信すると、取得した測定データを保守監視装置ＯＡＭに送信する。なお、無線基地局ｅＮＢは、当該測定データの内容を解釈し、自無線基地局ｅＮＢのパラメータ最適化に使用してもよい。
【００８０】
（５）実施形態の効果
以上説明したように、本実施形態によれば、無線端末ＵＥはトリガ種別情報をＥ−ＵＴＲＡＮに送信し、Ｅ−ＵＴＲＡＮは当該トリガ種別情報に基づいて当該無線端末ＵＥに対して測定データの送信を要求するか否かを決定する。これにより、Ｅ−ＵＴＲＡＮは、無線端末ＵＥが測定を行った際のトリガを考慮して当該測定データの送信を要求するか否かを決定できるため、重要な測定データとそうでない測定データとを判別可能となり、記録型ＭＤＴにおいてＥ−ＵＴＲＡＮが重要な測定データを収集し易くすることができる。
【００８１】
また、本実施形態では、無線端末ＵＥは、測定データを保持していることを示す保持情報（Availability Indicator）と共にトリガ種別情報を送信する。これにより、Ｅ−ＵＴＲＡＮは、無線端末ＵＥが測定データを保持しているか否かを確認した上で、当該測定データの送信を要求するか否かを決定可能になる。
【００８２】
さらに、現状のＭＤＴの仕様では、無線端末ＵＥは、ＭＤＴによる測定を行う期間を示すduration timerが満了した後、トリガ種別情報を含む全ての測定パラメータの設定（Configuration）を消去してしまうが、本実施形態では、ｄｕｒａｔｉｏｎ  ｔｉｍｅｒが満了した後、トリガ種別情報については消去せずに保持する。これにより、無線端末ＵＥは、ｄｕｒａｔｉｏｎ  ｔｉｍｅｒが満了した後であってもトリガ種別情報をＥ−ＵＴＲＡＮに送信できる。
【００８３】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８４】
上述した実施形態では、無線端末ＵＥは、測定トリガを示すトリガ種別情報を保持情報（Availability Indicator）と共にＥ−ＵＴＲＡＮに送信していた。しかしながら、トリガ種別情報を保持情報（Availability Indicator）と共に送信する場合に限らず、トリガ種別情報をUEInformationResponseメッセージに含めてＥ−ＵＴＲＡＮに送信してもよい。すなわち、トリガ種別情報を測定データと共にＥ−ＵＴＲＡＮに送信してもよい。これにより、Ｅ−ＵＴＲＡＮは、無線端末ＵＥが測定を行った際のトリガを考慮して、重要な測定データであるか否かを判別可能となる。
【００８５】
上述した実施形態では、ＬＴＥ−Ａｄｖａｎｃｅｄに基づいて構成される移動通信システムを主として説明したが、ＬＴＥ−Ａｄｖａｎｃｅｄに限らず、Ｗ−ＣＤＭＡ（Wideband Code Division Multiple Access）に基づいて構成される移動通信システム等についても本発明を適用可能である。
【００８６】
また、上述した実施形態では、保持情報（Availability Indicator）及びトリガ種別情報の両方を無線端末ＵＥから無線基地局ｅＮＢに通知していたが、保持情報の機能をトリガ種別情報に持たせることによって、保持情報を不要としてもよい。例えば、トリガ種別情報が通知される場合は測定データ「有り」を示し、トリガ種別情報が通知されない場合は測定データ「無し」を示すといった方法を採用可能である。あるいは、保持情報を拡張することによって、トリガ種別情報の機能を保持情報に持たせてもよい。
【００８７】
このように本発明は、ここでは記載していない様々な実施形態等を包含するということを理解すべきである。
【００８８】
なお、日本国特許出願第２０１０−２３１００３号（２０１０年１０月１３日出願）の全内容が、参照により、本願明細書に組み込まれている。
【産業上の利用可能性】
【００８９】
以上のように、本発明に係る無線測定収集方法、無線端末、及び無線基地局によれば、記録型ＭＤＴにおいてネットワークが重要な測定データを収集し易くすることができるため、移動体通信などの無線通信において有用である。
【図１】
2012049957.tif 000003
【図２】
2012049957.tif 000004
【図３】
2012049957.tif 000005
【図４】
2012049957.tif 000006
【国際調査報告】
2012049957.tif 000007
2012049957.tif 000008